(57)【要約】【課題】メンテナンスの頻度の低い冷媒系統側の機器類を裏面側に配置してスペースを確保し、多層構造のコントロールボックスに対するメンテナンス性が向上して、メンテナンス性と設置スペースの確保とを両立した室外機を提供することを目的とする。【解決手段】多層構造のコントロールボックス１２を備えた室外機１において、コントロールボックス１２が、筐体２の前面パネル３の裏面側の一側に、インバータ層１３とダクト層２０とがインバータ層１３を前面に前後２層に配設されるとともに、インバータ層１３の一側に制御基板層１７が並置されて一面に配設され、インバータ層１３および制御基板層１７が、前面パネル３を取り外すことにより筐体２の前面側からアクセス可能とされるとともに、制御基板層１７が、インバータ層１３に対してヒンジ結合され、その前面側に回動可能な構成とされ、制御基板層１７の裏面側に、他の構成機器類が収容設置されている。【選択図】図１
2015098993.tif 000002
【特許請求の範囲】
【請求項１】
インバータ回路やそのパワーモジュールが実装されたインバータ層と、前記パワーモジュールを冷却するファンやその通風路が設けられたダクト層と、前記インバータ回路や他の室外機側構成機器類を制御する制御回路が実装された制御基板層とからなる多層構造のコントロールボックスを備えた空気調和機の室外機において、
前記コントロールボックスは、室外機筐体の前面パネルの裏面側の一側に、前記インバータ層と前記ダクト層とが前記インバータ層を前面に配置して前後２層に配設されるとともに、そのインバータ層の一側に前記制御基板層が並置されて一面に配設され、
前記インバータ層および前記制御基板層は、前記前面パネルを取り外すことにより前記室外機筐体の前面側からアクセス可能とされているとともに、前記制御基板層は、前記インバータ層にヒンジ結合されることによりその前面側に回動可能な構成とされ、
前記制御基板層の裏面側に、前記他の構成機器類が収容設置されていることを特徴とする空気調和機の室外機。
【請求項２】
前記コントロールボックスの前記インバータ層および前記制御基板層は、それぞれ前記室外機筐体の前面パネル側が開口部とされ、その前面側から直接アクセス可能な構成とされていることを特徴とする請求項１に記載の空気調和機の室外機。
【請求項３】
前記コントロールボックスの前記制御基板層は、前記インバータ層の側面の前端部位に前記ヒンジを介してその縦軸周りに回動可能に結合されていることを特徴とする請求項１または２に記載の空気調和機の室外機。
【請求項４】
前記コントロールボックスの前記インバータ層と前記制御基板層との間の電気配線および／または前記制御基板層から取り出される電気配線の配線口は、前記ヒンジの回転軸近傍に設けられていることを特徴とする請求項１ないし３のいずれかに記載の空気調和機の室外機。
【請求項５】
前記コントロールボックスのヒンジ結合されている前記インバータ層および前記制御基板層は、一方の上面が他方の上面よりも高くされ、高くされている方の上面の結合面側の一端に、低くされた方の上面の結合面側の一端部を覆うように延長された庇部が設けられるとともに、低くされた方の上面の結合面側の一端に、前記庇部と干渉しないように上方に立ち上げられた立ち上げ面が設けられていることを特徴とする請求項１ないし４のいずれかに記載の空気調和機の室外機。
【発明の詳細な説明】
【技術分野】
【０００１】
本発明は、多層構造とされたコントロールボックスが収容設置されている空気調和機の室外機に関するものである。
【背景技術】
【０００２】
空気調和機のコントロールボックスは、圧縮機モータのインバータ制御化によるインバータ回路の追加や、空気調和機の集中制御化のための制御基板の追加等により大型化する傾向にある。一方、空気調和機の室外機寸法は、据え付け場所による制約や運搬上の制約等によりその拡大が容易には許容されないため、結果として、コントロールボックスと他の構成機器類との間で設置スペースの取り合いとなっている。
【０００３】
これに対処するため、例えば特許文献１に示されるように、複数の層からなるコントロールボックスを積層構造とし、前面側の層をヒンジ結合にして開閉可能な構造としたものが提供されている。また、コントロールボックスの裏面側に複数層状態に配置された機器類のメンテナンスを容易化するため、特許文献２に示されるように、コントロールボックスを支持ブラケットにヒンジを介して回動自在に設置したものが提供されている。
【先行技術文献】
【特許文献】
【０００４】
【特許文献１】特開２００９−２９６７９９号公報
【特許文献２】特開平１１−１５５２０８号公報
【発明の概要】
【発明が解決しようとする課題】
【０００５】
しかしながら、昨今においては、電装部品の複雑化等に伴い、インバータ回路や制御基板側での故障の発生率が、圧縮機、四方切換弁および電子膨張弁等の冷媒系統側機器類の故障率に比べ高くなる傾向があり、この場合、コントロールボックスのインバータ回路や制御基板側に対するメンテナンスが容易にできる構成になっていないと、現場でのメンテナンスに時間がかかってしまうことになる。
【０００６】
つまり、特許文献１に示されるように、コントロールボックスをヒンジ結合により多層構造として設置スペースを節減したものでは、表面層の回路や電装部品等に対するメンテナンスは容易であっても、奥側層の回路や電装部品をメンテナンスする場合、表面層の固定状態を解いた上で、それをヒンジ軸回りに回動して奥側層を開放状態とする手間が必要なため、奥側層のメンテナンス性が低下してしまう等の課題があり、その改善が求められている状況にある。
【０００７】
本発明は、このような事情に鑑みてなされたものであって、メンテナンス頻度の低い冷媒系統側機器類を裏面側に配置してスペースを確保し、多層構造のコントロールボックスに対するメンテナンス性が向上することにより、メンテナンス性と設置スペースの確保とを両立した空気調和機の室外機を提供することを目的とする。
【課題を解決するための手段】
【０００８】
上記した課題を解決するために、本発明にかかる空気調和機の室外機は、以下の手段を採用する。
すなわち、本発明にかかる空気調和機の室外機は、インバータ回路やそのパワーモジュールが実装されたインバータ層と、前記パワーモジュールを冷却するファンやその通風路が設けられたダクト層と、前記インバータ回路や他の室外機側構成機器類を制御する制御回路が実装された制御基板層とからなる多層構造のコントロールボックスを備えた空気調和機の室外機において、前記コントロールボックスは、室外機筐体の前面パネルの裏面側の一側に、前記インバータ層と前記ダクト層とが前記インバータ層を前面に配置して前後２層に配設されるとともに、そのインバータ層の一側に前記制御基板層が並置されて一面に配設され、前記インバータ層および前記制御基板層は、前記前面パネルを取り外すことにより前記室外機筐体の前面側からアクセス可能とされているとともに、前記制御基板層は、前記インバータ層に対してヒンジ結合され、その前面側に回動可能な構成とされ、前記制御基板層の裏面側に、前記他の構成機器類が収容設置されていることを特徴とする。
【０００９】
本発明によれば、多層構造とされたコントロールボックスが、室外機筐体の前面パネルの裏面側の一側に、インバータ層とダクト層とがインバータ層を前面に配置して前後２層に配設されるとともに、そのインバータ層の一側に制御基板層が並置されて一面に配設され、該インバータ層および制御基板層が、前面パネルを取り外すことにより室外機筐体の前面側からアクセス可能とされているとともに、制御基板層がインバータ層にヒンジ結合されることにより、その前面側に回動可能な構成とされ、その制御基板層の裏面側に、他の構成機器類が収容設置されているため、電装部品の複雑化等に伴ってコントロールボックスのインバータ層や制御基板層における故障の発生率が、圧縮機、四方切換弁および電子膨張弁等の冷媒系統側機器類の故障率に比べ高くなり、インバータ層や制御基板層に対するメンテナンスの頻度が高くなったとしても、室外機筐体の前面パネルを取り外すことにより、その裏面側に並置して配設されているインバータ層および制御基板層に対して直にアクセスし、メンテナンスすることができる。また、制御基板層の裏面側に収容設置されている、例えば圧縮機等の他の構成機器類に対しても、制御基板層をインバータ層の前面側にヒンジを介して回動させることにより、容易にメンテナンスすることができる。従って、より頻度の高いコントロールボックスのインバータ層および制御基板層に対するアクセス性を高め、更にその裏面側に設置されている他の構成機器類に対するアクセス性をも確保することにより、全体としてメンテナンス性を向上することができるとともに、制御基板層の裏面側スペースを有効に利用して他の構成機器類を設置することにより、室外機の大型化を回避することができる。また、制御基板層の裏面側の他の構成機器類をメンテナンスする際、インバータ層の前面を制御基板層により覆うことができるため、各層の内部回路や機器類を外部からの接触事故等に対して保護することができる。
【００１０】
さらに、本発明の空気調和機の室外機は、上記の空気調和機の室外機において、前記コントロールボックスの前記インバータ層および前記制御基板層は、それぞれ前記室外機筐体の前面パネル側が開口部とされ、その前面側から直接アクセス可能な構成とされていることを特徴とする。
【００１１】
本発明によれば、インバータ層および制御基板層が、それぞれ室外機筐体の前面パネル側が開口部とされ、その前面側から直接アクセス可能な構成とされているため、インバータ層および制御基板層に対するメンテナンス時、室外機筐体の前面パネルを取り外すことにより、その前面側から直にインバータ層および制御基板層にアクセスしてメンテナンスすることができる。従って、頻度の高いコントロールボックスのインバータ層や制御基板層に対するメンテナンス性をより向上することができる。
【００１２】
さらに、本発明の空気調和機の室外機は、上述のいずれかの空気調和機の室外機において、前記コントロールボックスの前記制御基板層は、前記インバータ層の側面の前端部位に前記ヒンジを介してその縦軸周りに回動可能に結合されていることを特徴とする。
【００１３】
本発明によれば、制御基板層が、インバータ層の側面の前端部位にヒンジを介してその縦軸周りに回動可能に結合されているため、制御基板層の裏面側に収容設置されている他の構成機器類をメンテナンスする必要が生じた場合、制御基板層をヒンジの縦軸周りに回動させてインバータ層の前面側に回動することにより、制御基板層の裏面側に設置されている他の構成機器類の前面を全面開放し、その構成機器類に対してアクセス可能とすることができる。従って、制御基板層の裏面側に設置されている他の構成機器類に対するメンテナンス性を確保することができるともに、制御基板層の裏面側スペースを有効に利用して他の構成機器類を設置することにより、室外機の大型化を回避することができる。
【００１４】
さらに、本発明の空気調和機の室外機は、上述のいずれかの空気調和機の室外機において、前記コントロールボックスの前記インバータ層と前記制御基板層との間の電気配線および／または前記制御基板層から取り出される電気配線の配線口は、前記ヒンジの回転軸近傍に設けられていることを特徴とする。
【００１５】
本発明によれば、インバータ層と制御基板層との間の電気配線および／または制御基板層から取り出される電気配線の配線口が、ヒンジの回動軸近傍に設けられているため、メンテナンス時、制御基板層をインバータ層に対して回動する際にも、配線コネクタを取り外すことなく接続したままで制御基板層１７を回動することができる。従って、メンテナンス作業をより簡易化することができるとともに、電気配線を繋いだまま通電した状態で基板や電装部品をチェックできることから、故障箇所の特定が容易となる等、メンテナンス性を向上することができる。
【００１６】
さらに、本発明の空気調和機の室外機は、上述のいずれかの空気調和機の室外機において、前記コントロールボックスのヒンジ結合されている前記インバータ層および前記制御基板層は、一方の上面が他方の上面よりも高くされ、高くされている方の上面の結合面側の一端に、低くされた方の上面の結合面側の一端部を覆うように延長された庇部が設けられるとともに、低くされた方の上面の結合面側の一端に、前記庇部と干渉しないように上方に立ち上げられた立ち上げ面が設けられていることを特徴とする。
【００１７】
本発明によれば、ヒンジ結合されているインバータ層および制御基板層の一方の上面が他方の上面よりも高くされ、高くされている方の上面の結合面側の一端に、低くされた方の上面の結合面側の一端部を覆うように延長された庇部が設けられるとともに、低くされた方の上面の結合面側の一端に、庇部と干渉しないように上方に立ち上げられた立ち上げ面が設けられているため、インバータ層および／または制御基板層の上面に室外機筐体内に浸入して雨水が溜まり、その雨水がインバータ層と制御基板層との間の隙間から配線口等を経てインバータ層または制御基板層内に入り込もうとするのを庇部と立ち上げ面との相乗効果により阻止することができる。従って、インバータ層と制御基板層とをヒンジ結合により並置した構成としても、その隙間からの内部への雨水の浸入を防止し、雨水の浸入による故障のリスクをなくすることができる。
【発明の効果】
【００１８】
本発明によると、電装部品の複雑化等に伴ってコントロールボックスのインバータ層や制御基板層における故障の発生率が、圧縮機、四方切換弁および電子膨張弁等の冷媒系統側機器類の故障率に比べ高くなり、インバータ層や制御基板層に対するメンテナンスの頻度が高くなったとしても、室外機筐体の前面パネルを取り外すことにより、その裏面側に並置して配設されているインバータ層および制御基板層に対して直にアクセスし、メンテナンスすることができる。また、制御基板層の裏面側に収容設置されている、例えば圧縮機等の他の構成機器類に対しても、制御基板層をインバータ層の前面側にヒンジを介して回動させることにより、容易にメンテナンスすることができるため、より頻度の高いコントロールボックスのインバータ層および制御基板層に対するアクセス性を高め、更にその裏面側に設置されている他の構成機器類に対するアクセス性をも確保することにより、全体としてメンテナンス性を向上することができるとともに、制御基板層の裏面側スペースを有効に利用して他の構成機器類を設置することにより、室外機の大型化を回避することができる。また、制御基板層の裏面側の他の構成機器類をメンテナンスする際、インバータ層の前面を制御基板層により覆うことができるため、各層の内部回路や機器類を外部からの接触事故等に対して保護することができる。
【図面の簡単な説明】
【００１９】
【図１】本発明の一実施形態に係る空気調和機の室外機におけるコントロールボックス設置部分の横断面図である。
【図２】図１の示すコントロールボックスを正面側から見た状態の斜視図である。
【図３】図１の示すコントロールボックスの正面図（Ａ）、平面図（Ｂ）および右側面図（Ｃ）と、正面図（Ａ）中のｄ部拡大図（Ｄ）である。
【図４】図１の示すコントロールボックスの制御基板層をメンテナンス時に回動する際の動作説明図である。
【図５】図１の示すコントロールボックスのインバータ層、ダクト層および制御基板層を分解した状態の分解斜視図である。
【発明を実施するための形態】
【００２０】
以下に、本発明にかかる一実施形態について、図１ないし図５を参照して説明する。
図１には、本発明の一実施形態に係る空気調和機の室外機におけるコントロールボックス設置部分の横断面図が示され、図２ないし図５には、そのコントロールボックスの具体的な構成図が示されている。
空気調和機の室外機１は、周囲が前面パネル３、左・右側面パネル４，５、背面パネル６によって囲われた箱形形状の室外機筐体（以下、単に筐体と称することもある。）２を備えている。
【００２１】
室外機筐体２は、内部が機械室と熱交換室とに区画されており、機械室側の前面パネル３が着脱自在とされている。筐体２の機械室側の内部には、図１に示されるように、第１圧縮機７、第２圧縮機８、アキュームレータ９、レシーバ１０やオイルセパレータ、四方切換弁、室外電子膨張弁および冷媒配管類等々の冷媒系統を構成する室外機側の構成機器類の他、空気調和機および室外機側構成機器類を制御する制御回路および電装部品類が内蔵されたコントロールボックス１２等が収容設置されている。
【００２２】
コントロールボックス１２は、図２ないし図５に示されるように、インバータ回路１４やそのパワーモジュール１５等の電装部品が実装されている基板１６を備えたインバータ層１３と、インバータ回路１４や室外機側の他の構成機器類を制御する制御回路１８やその電装部品が実装されている基板１９を備えた制御基板層１７と、パワーモジュール１５等の発熱部品を冷却するファン２１やその通風路２２が設けられているダクト層２０とからなる多層構造のコントロールボックス１２とされている。
【００２３】
この多層構造のコントロールボックス１２は、図１に示されるように、筐体２内の前面パネル３の裏面側の一側に、インバータ層１３とダクト層２０とがインバータ層１３を前面側に配置して前後２層に配設された構成とされ、更に、そのインバータ層１３の一側に制御基板層１７が並置されて一面に配設された構成とされている。ダクト層２０は、インバータ層１３の背面に積層配置され、ファン２１を介してその通風路２２を流通される外気によりインバータ層１３のパワーモジュール１５等が冷却可能な構成とされている。
【００２４】
上記インバータ層１３および制御基板層１７は、それぞれ室外機筐体２の前面パネル３側が開口部として開放された構成とされており、メンテナンス時、前面パネル３を取り外すことにより、その前面側から各層１３，１７の回路や電装部品に対して直接アクセス可能な構成とされている。
【００２５】
また、インバータ層１３の一側に並置されている制御基板層１７は、インバータ層１３の側面の前端部位に、ヒンジ２３を介してその縦軸周りに回動可能に結合された構成とされている。つまり、制御基板層１７は、通常の設置状態では、図１ないし図３に示されるように、インバータ層１３の前面と、その前面が略面一となるように配設され、その位置で筐体２側に固定設置される構成とされており、制御基板層１７の裏面に配設されている室外機側の他の構成機器類をメンテナンスする際、図４に示されるように、ヒンジ２３の縦軸を支点にしてインバータ層１３の前面側に回動可能な構成とされている。
【００２６】
また、インバータ層１３と制御基板層１７との間の電気配線を通す配線口２４および／または回動可能とされている制御基板層１７から外部に取り出される電気配線を通す配線口２５は、制御基板層１７を回動する際にも、配線コネクタを取り外すことなく、配線を接続したままで制御基板層１７を回動できるようにするため、ヒンジ２３の近傍に設けられた構成とされている。
【００２７】
さらに、本実施形態においては、図３に示されるように、ヒンジ２３により結合されて並置されているインバータ層１３および制御基板層１７において、室外機筐体２内に雨水が浸入し、それがインバータ層１３および／または制御基板層１７の上面に溜まった場合でも、その雨水がインバータ層１３と制御基板層１７との間の隙間から配線口２４等を経てその内部に入り込まないようにするため、インバータ層１３の上面１３Ａを制御基板層１７の上面１７Ａよりも少し高くし、そのインバータ層１３の上面１３Ａの結合面側の一端に、高さが低くされている制御基板層１７の上面１７Ａの結合面側の一端部を覆うように延長された庇部２６を設けるとともに、高さが低くされている制御基板層１７の上面１７Ａの結合面側の一端に、庇部２６と干渉しないように上方に立ち上げられた立ち上げ面２７を設けた構成としている。
【００２８】
なお、上記では、インバータ層１３の上面１３Ａを制御基板層１７の上面１７Ａよりも少し高くし、インバータ層１３の上面１３Ａに庇部２６を設け、制御基板層１７の上面１７Ａに立ち上げ面２７を設けた構成としているが、逆に、制御基板層１７側の上面１７Ａを高くして庇部２６を設け、インバータ層１３の上面１３Ａに立ち上げ面２７を設けた構成としてもよいことはもちろんである。また、庇部２６は、先端エッジが鉛直下向きに折り曲げられており、その先端と鉛直上向きに立ち上げられている立ち上げ面２７の先端との間に、図３（Ｄ）に示されているように、鉛直方向および水平方向に所定の隙間が確保され、制御基板層１７の回動時、互いが干渉されないようにされている。
【００２９】
そして、上記コントロールボックス１２の制御基板層１７の裏面側に、室外機側の他の構成機器類の１つである冷媒系統側の第１圧縮機７を配置した構成としており、第１圧縮機７をメンテナンスする必要が生じた時、制御基板層１７を上記の如くヒンジ２３の縦軸周りにインバータ層１３の前面側へと回動し、第１圧縮機７の前面側を開放状態とすることにより、メンテナンス作業のためのスペースを確保できるようにするとともに、制御基板層１７の裏面側のデッドスペースを有効に利用して室外機側の他の構成機器類を配置した構成とし、室外機の大型化を回避できるようにしている。
【００３０】
以上に説明の構成により、本実施形態によれば、以下の作用効果を奏する。
上記空気調和機の室外機１において、室外機側構成機器類と共に室外機筐体２内に設置されるコントロールボックス１２は、制御の多様化により大型化するとともに、電装部品の複雑化等に伴い、インバータ回路や制御基板側での故障の発生率が高くなる傾向となっている。このコントロールボックス１２は、多層構造とされ、そのインバータ層１３とダクト層２０とがインバータ層１３を前面に配置して前後２層に配設されるとともに、インバータ層１３の一側に制御基板層１７が並置されて一面に配設された構成とされている。
【００３１】
この多層構造のコントロールボックス１２を室外機筐体２の前面パネル３の裏面側の一側に設置し、前面パネル３を取り外すことによって、そのインバータ層１３および制御基板層１７が筐体２の前面側に露出されようにしている。また、室外機筐体２内のコントロールボックス１２が配置された他側の制御基板層１７の裏面側を含むスペースに、第１圧縮機７を始めとする冷媒系統を構成する他の室外機側構成機器類を収容設置した構成としている。
【００３２】
この配置構成によって、第１圧縮機７、第２圧縮機８、四方切換弁および電子膨張弁等の冷媒系統側構成機器類の故障率に比べ、故障の発生率が高くなる傾向にあるコントロールボックス１２のインバータ回路やその制御基板が収容設置されているインバータ層１３や制御基板層１７に対するメンテナンスを優先的に行えるようにし、メンテナンス性を確保できるようにしている。
【００３３】
つまり、電装部品の複雑化等によりコントロールボックス１２のインバータ層１３や制御基板層１７における故障の発生率が、第１および第２圧縮機７，８、四方切換弁および電子膨張弁等の冷媒系統側機器類の故障率に比べ高くなり、インバータ層１３や制御基板層１７に対するメンテナンスの頻度が高くなったとしても、メンテナンス時、室外機筐体２の前面パネル３を取り外すことにより、その裏面側に並設されているコントロールボックス１２のインバータ層１３および制御基板層１７に対し直にアクセスできるため、容易かつ迅速にメンテナンスすることが可能となる。
【００３４】
また、制御基板層１７がインバータ層１３に対してヒンジ２３により結合され、インバータ層１３の前面側に回動可能とされているため、制御基板層１７の裏面側に収容設置されている、例えば第１圧縮機７等の他の構成機器類に対してメンテナンスする必要が生じた場合でも、制御基板層１７をインバータ層１３の前面側にヒンジ２３を介して回動させることによって、容易にメンテナンスすることができる。
【００３５】
従って、より頻度の高いコントロールボックス１２のインバータ層１３および制御基板層１７に対するアクセス性を高め、更にその裏面側に設置されている他の構成機器類に対するアクセス性をも確保することによって、全体としてメンテナンス性を向上することができる。しかも制御基板層１７の裏面側のスペースを有効に利用して他の構成機器類、本実施形態の例では第１圧縮機７を設置することによって、室外機１の大型化を回避することができる。また、制御基板層１７の裏面側の他の構成機器類をメンテナンスする際、インバータ層１３の前面を制御基板層１７によって覆うことができるため、インバータ層１３および制御基板層１７の内部回路や機器類を外部からの接触事故等に対して保護することができる。
【００３６】
さらに、コントロールボックス１２のインバータ層１３および制御基板層１７は、それぞれ室外機筐体２の前面パネル３側が開口部とされ、その前面側から直接アクセス可能な構成とされている。このため、インバータ層１３および制御基板層１７に対するメンテナンス時、室外機筐体２の前面パネル３を取り外すだけで、その前面側から直にインバータ層１３および制御基板層１７にアクセスしてメンテナンスすることができ、従って、頻度の高いコントロールボックス１２のインバータ層１３や制御基板層１７に対するメンテナンス性をより向上することができる。
【００３７】
また、制御基板層１７は、インバータ層１３の側面の前端部位にヒンジ２３を介してその縦軸周りに回動可能に結合されているため、制御基板層１７の裏面側に収容設置されている第１圧縮機７等の他の構成機器類をメンテナンスする必要が生じた場合、制御基板層１７をヒンジ２３の縦軸周りに回動させてインバータ層１３の前面側に回動することによって、制御基板層１７の裏面側に設置されている他の構成機器類の前面を全面開放し、その構成機器類に対してアクセス可能とすることができる。従って、制御基板層１７の裏面側に配置されている他の構成機器類に対するメンテナンス性を十分確保することができるともに、制御基板層１７の裏面側スペースを有効に利用して他の構成機器類を設置することにより、室外機１の大型化を回避することができる。
【００３８】
また、コントロールボックス１２のインバータ層１３と制御基板層１７間の電気配線や制御基板層１７から取り出される電気配線の配線口２４が、ヒンジ２３の回動軸近傍に設けられているため、メンテナンス時、インバータ層１３に対して制御基板層１７を回動する際、配線コネクタを取り外すことなく接続したままで制御基板層１７を回動することができる。従って、メンテナンス作業をより簡易化することができるとともに、電気配線を繋いだまま通電した状態で基板や電装部品をチェックできることから、故障箇所の特定が容易となる等、メンテナンス性を向上することができる。
【００３９】
さらに、本実施形態では、回動自在とされた制御基板層１７とインバータ層１３との間の隙間から雨水が浸入しないように、ヒンジ結合されているインバータ層１３および制御基板層１７の一方の上面が他方の上面よりも高くされ、高くされている方の上面の結合面側の一端に、低くされた方の上面の結合面側の一端部を覆うように延長された庇部２６が設けられるとともに、低くされた方の上面の結合面側の一端に、庇部２６と干渉しないように上方に立ち上げられた立ち上げ面２７が設けられた構成とされている。
【００４０】
このため、インバータ層１３および／または制御基板層１７の上面１３Ａ，１７Ａに室外機筐体２内に浸入して雨水が溜まり、その雨水がインバータ層１３と制御基板層１７との間の隙間から配線口２４等を経てインバータ層１３または制御基板層１７内に入り込もうとするのを庇部２６と立ち上げ面２７との相乗効果により阻止することができ、これによって、インバータ層１３と制御基板層１７とをヒンジ２３により結合して並置した構成としても、その隙間からの内部への雨水の浸入を防止し、雨水の浸入による故障のリスクをなくすることができる。
【００４１】
なお、本発明は、上記実施形態にかかる発明に限定されるものではなく、その要旨を逸脱しない範囲において、適宜変形が可能である。例えば、上記実施形態では、コントロールボックス１２の制御基板層１７の裏面側に、第１圧縮機７を配置した例について説明したが、他のメンテナンスを必要とする四方切換弁や電子膨張弁等の構成機器類を配置してもよい。また、上記実施形態では、第１圧縮機７および第２圧縮機８の２台の圧縮機を配置し、その中の１台を制御基板層１７の裏面側に配置して例について説明したが、圧縮機が１台の室外機１にも同様に適用でき、その場合においても、制御基板層１７の裏面側に配置されるのは、圧縮機、他の構成機器類のいずれであってもよい。
【符号の説明】
【００４２】
１  室外機
２  室外機筐体（筐体）
３  前面パネル
７  第１圧縮機（室外機側の構成機器類）
１２  コントロールボックス
１３  インバータ層
１７  制御基板層
２０  ダクト層
２３  ヒンジ
２４  配線口
【図１】
2015098993.tif 000003
【図２】
2015098993.tif 000004
【図３】
2015098993.tif 000005
【図４】
2015098993.tif 000006
【図５】
2015098993.tif 000007